(57)【特許請求の範囲】
【請求項１】
室外ユニット本体と、
この本体の側部に設けられ、前面側に圧縮機、背面側に冷媒配管を収納した機械室と、
この機械室の背面側に設けられ、前記機械室を構成する外郭板金部材を箱形に成形して形成された冷媒回路を収納する拡張スペース部と、
この拡張スペース部の上下の開口部を塞ぐプラスチック製の上部、下部カバーと、
を備え、室外ユニット本体は天板を備え、前記天板は、前記送風機室と前記上部カバーで覆われていない前記機械室の上部開口部を覆うことを特徴とする空気調和機の室外ユニット。
【請求項２】
室外ユニットを固定するための室外ユニット固定脚を備え、  前記拡張スペースと前記室外ユニット固定脚とを、上方から脚固定用工具の挿入が可能となるようにずらして配設したことを特徴とする請求項１記載の空気調和機の室外ユニット。
【請求項３】
前記機械室の側方に送風機等を収納した送風機室を備え、
前記室外ユニット固定脚を、送風機室の背面下方に配設したことを特徴とする請求項３記載の空気調和機の室外ユニット。
【請求項４】
前記拡張スペース部の背面を、側面から面一に延長された形状にしたことを特徴とする請求項１記載の空気調和機の室外ユニット。
【発明の詳細な説明】
【０００１】
【発明の属する技術分野】
この発明は、空気調和機の室外ユニットに係り、特にその機械室スペースの拡張を図るように改良した構造に関するものである。
【０００２】
【従来の技術】
図３は、従来の空気調和機の室外ユニットにおける機械室背面の拡張方法を示したものであり、図において、１は機械室であり、仕切板２と、前面パネル３と、側面・背面一体のＬ型パネル４にて囲まれている。５はその機械室１背面に設けられた拡張スペース部であり、Ｌ型パネル４を絞り加工して成形されている。また、６は機械室１内に配置された圧縮機であり、７は送風機室８に配置されたファン、９は熱交換器、１０は室外ユニット固定脚、１１は建物の壁、１２は建物と室外ユニットとの必要隙間寸法である。
【０００３】
空気調和機の室外ユニットは、年々冷媒回路が複雑化しており、その冷媒回路を機械室１に収納するために、上記のように機械室１背面に拡張スペース部５を設けていた。
【０００４】
【発明が解決しようとする課題】
従来の空気調和機の室外ユニットの機械室拡張構造においては、外郭のＬ型パネル４の一部を絞り加工のみで拡張していた為、年々複雑化する冷媒回路を収納するスペースとしては限界であった。また拡張スペース部５と室外ユニット固定脚１０とがラップした場合、上部から固定工具が入らない為、固定作業がやりにくいという問題点や、室外ユニット据付け時に建物と室外ユニットとの必要隙間寸法が測りにくく、十分に後方スペースを確保しないで据付けられてしまう等の問題点があった。
【０００５】
この発明は、上記のような問題点を解消するためになされたもので、年々複雑化する冷媒回路を収納する機械室スペースが充分確保できると共に、機械室からの音の透過を安価に防ぐことができる室外ユニットを得ることを目的とする。
また、冷媒回路を収納する機械室スペースを機械室背面を活用して充分確保できる室外ユニットを得ること目的とする。
また、室外ユニット固定脚の固定作業性を容易にすることを目的とする。
また、機械室背面全体を拡張しても、室外ユニット固定脚と拡張部分がラップすることなく、室外ユニット固定脚の固定作業性を容易にすることを目的とする。
また、据付け作業者が後方の必要隙間寸法を計測しやすくし、充分に後方スペースを確保しないで据付けしてしまうミスを防止することを目的とする。
【０００６】
【課題を解決するための手段】
この発明に係る空気調和機の室外ユニットは、室外ユニット本体と、この本体の側部に設けられ、前面側に圧縮機、背面側に冷媒配管を収納した機械室と、この機械室の背面側に設けられ、機械室を構成する外郭板金部材を箱形に成形して形成された冷媒回路を収納する拡張スペース部と、この拡張スペース部の上下の開口部を塞ぐプラスチック製の上部、下部カバーとを備え、室外ユニット本体は天板を備え、天板は、送風機室と上部カバーで覆われていない機械室の上部開口部を覆うことを特徴とする。
【０００８】
また、室外ユニットを固定するための室外ユニット固定脚を備え、拡張スペースと室外ユニット固定脚とを、上方から脚固定用工具の挿入が可能となるようにずらして配設したものである。
【０００９】
また、機械室の側方に送風機等を収納した送風機室を備え、室外ユニット固定脚を、送風機室の背面下方に配設したものである。
【００１０】
また、拡張スペース部の背面を、側面から面一に延長された形状にしたものである。
【００１１】
【発明の実施の形態】
実施の形態１．
以下、この発明の実施の形態１を図面を参照して説明する。図１、２は、この発明の実施の形態１を示す図で、図１は機械室スペースを示す部分断面図、図２は室外ユニットを斜め後方から見た斜視図である。図１において、１は機械室であり、仕切板２と、前面パネル３と、側面・背面一体の外郭板金部材であるＬ型パネル４とにより囲まれている。５はその機械室１の背面に設けられた拡張スペース部であり、Ｌ型パネル４を曲げ加工にて箱型に成形している。
また、６は機械室１内に配置された圧縮機、７は送風機室８に配置されたファン、９は熱交換器、１０は室外ユニット固定脚、１１は建物の壁、１２は建物と室外ユニットとの必要隙間寸法である。
【００１２】
図２において、１３、１４は拡張スペース部５の上部隙間１５と下部隙間１６を塞ぐ為の上部、下部カバーであり、降雨の浸入を防ぐ為に板金形状に合わせ成形させている。
【００１３】
機械室１の背面側に、Ｌ型パネル４を曲げ加工にて箱形に成形して上部、下部カバー１３、１４を付けることにより、拡張スペース部５を設けることにより、従来より広い機械室が確保でき、より複雑化した冷媒回路の収納が可能となる。
【００１４】
上部カバー１３及び下部カバー１４は、圧縮機６から遠い位置にあり、透過音も少ないので、プラスチック製とすることができ、安価になる。
【００１５】
室外ユニット固定脚１０を送風機室８の下方に配置して拡張スペース部５をずらしてあるので、上方から脚固定用工具の挿入が可能となる。
【００１６】
機械室１の背面に設けられた拡張スペース部５は、側面から面一に延長させたことにより、側面から室外ユニットと建物の壁までの距離が測定でき、後方スペースが確実に確保される。
【００１７】
【発明の効果】
この発明の係る空気調和機の室外ユニットは、機械室の背面に拡張スペース部を設けることにより、従来より広い機械室が確保でき、より複雑化した冷媒配管の収納が可能となる。
【００１８】
また、上部、下部カバーをプラスチック製としたので安価である。
【００１９】
また、機械室の拡張スペース部と室外ユニット固定脚とをずらして配置したので、脚固定用工具の挿入が容易である。
【００２０】
また、機械室の拡張スペース部を、側面から面一に延長させたので、側面から室外ユニットと建物の壁までの距離が測定でき、後方スペースが確実に確保される。
【図面の簡単な説明】
【図１】  この発明の実施の形態１における空気調和機の室外ユニットの機械室スペースを示す部分断面図である。
【図２】  実施の形態１における空気調和機の室外ユニットを示す斜視図である。
【図３】  従来の空気調和機の室外ユニットにおける機械室スペースを示す部分断面図である。
【符号の説明】
１  機械室、２  仕切板、３  前面パネル、４  Ｌ形パネル、５  拡張スペース部、６  圧縮機、７  ファン、８  送風機室、９  熱交換器、１０  室外ユニット固定脚、１１  建物の壁、１２  建物と室外ユニットとの後方必要隙間寸法、１３  上部カバー、１４  下部カバー、１５  上部隙間、１６  下部隙間。
【図１】
0003798163.tif 000002
【図２】
0003798163.tif 000003
【図３】
0003798163.tif 000004